(57)【特許請求の範囲】
【請求項１】
内周の軸方向に複数のキー溝部を形成した軸受孔を左右両端に設け、山形状に屈曲した肩部と、該肩部の中央上端に取り付けたフック部と、前記肩部の軸受孔に摺動自在に取り付けた伸縮部とから成るハンガーであって、
前記伸縮部は前記軸受孔のそれぞれに挿通する挿通杆を備え、該挿通杆の外周に軸方向に沿った凸条部を設け、前記挿通杆を押し込んだ状態では、前記挿通杆を前記軸受孔に対し回動可能とし、前記挿通杆を引き出した状態では、前記軸受孔の前記キー溝部に前記凸条部を篏合させて、前記挿通杆を前記軸受孔に対し回動不能とすることを特徴とするハンガー。
【請求項２】
前記挿通杆を前記軸受孔に対し所定確度を回動させた後に、前記挿通杆を引き出すことを特徴とする請求項１に記載のハンガー。
【請求項３】
前記挿通杆には、引き出しに際して前記軸受孔の端部に係止する鉤部を設けたことを特徴とする請求項１又は請求項２に記載のハンガー。
【請求項４】
前記挿通杆のそれぞれの外側端部の外周には、前記凸条部と連通する高さの低い小凸条部を形成し、前記挿通杆を押し込んだ際には、前記挿通杆は前記小凸条部によって前記軸受孔に対しクリック状に回動することを特徴とする請求項１〜３の何れか１つの請求項に記載のハンガー。
【請求項５】
前記挿通杆のそれぞれの外側端には湾曲部を連結すると共に、前記湾曲部の他端には前記挿通杆のそれぞれに平行する一対の連結杆を連結し、前記挿通杆の伸縮に追従して前記一対の連結杆が伸縮することを特徴とする請求項１〜４の何れか１つの請求項に記載のハンガー。
【請求項６】
前記軸受孔の端部の外面に位置合わせ部を形成し、前記湾曲部の端部に、前記凸条部を設けた位置に対応するように位置合わせ部を形成したことを特徴とする請求項５に記載のハンガー。
【発明の詳細な説明】
【技術分野】
【０００１】
本発明は、衣類やタオル等を掛けるためのハンガーに関するものである。
【背景技術】
【０００２】
特許文献１には、洋服の幅やタオル等の幅に応じて、横幅が左右方向に伸縮自由のハンガーが開示されている。このハンガーに幅の広い洋服をかける場合や、幅の広いバスタオル等を掛けて乾かす場合に、肩部に係合した一対の伸縮部を左右に引き伸ばして使用することとなる。
【先行技術文献】
【特許文献】
【０００３】
【特許文献１】特開２００１−７９２９５号公報
【発明の概要】
【発明が解決しようとする課題】
【０００４】
しかし、濡れたバスタオル等をハンガーの下端の掛棒部に掛けた後に、箪笥の上端や鴨居にフック部を引っ掛けて乾かす場合に、特許文献１の従来のハンガーでは、タオルの背面が箪笥の側面や背壁面に接してしまい、乾き難いという問題がある。また、箪笥の側面や背壁面も湿ってしまい、カビ等の発生の原因ともなる。
【０００５】
また、従来のハンガーを用いてトレーナ等の衣類を乾かす場合に、衣類の表側と裏側とが接してしまい、完全に乾くのに時間を要する。
【０００６】
本発明の目的は、上述の問題点を解消し、空気の流通が良好で衣類等が乾き易いハンガーを提供することにある。
【課題を解決するための手段】
【０００７】
上記目的を達成するための本発明に係るハンガーは、内周の軸方向に複数のキー溝部を形成した軸受孔を左右両端に設け、山形状に屈曲した肩部と、該肩部の中央上端に取り付けたフック部と、前記肩部の軸受孔に摺動自在に取り付けた伸縮部とから成るハンガーであって、前記伸縮部は前記軸受孔のそれぞれに挿通する挿通杆を備え、該挿通杆の外周に軸方向に沿った凸条部を設け、前記挿通杆を押し込んだ状態では、前記挿通杆を前記軸受孔に対し回動可能とし、前記挿通杆を引き出した状態では、前記軸受孔の前記キー溝部に前記凸条部を篏合させて、前記挿通杆を前記軸受孔に対し回動不能とすることを特徴とする。
【発明の効果】
【０００８】
本発明に係るハンガーによれば、伸縮部を略直角に手前側に起こした状態で伸長し、衣類やタオル等を乾かすことができる。このように、伸縮部を手前側に起こすことで、鴨居等にフックを引っ掛けた場合でも、掛棒部に掛けたバスタオル等が鴨居下の背壁面に接することがない。
【０００９】
また、フックを物干し竿等に掛けて衣類を乾かす際は、衣類の表側と背側の間に隙間が生ずるため、風通しが良くなり、短時間で乾かすことができる。
【図面の簡単な説明】
【００１０】
【図１】実施例のハンガーの正面側から見た斜視図である。
【図２】伸縮部を伸長した状態の背面図である。
【図３】肩部の端部の断面図である。
【図４】連結杆を伸ばした際の挿通杆と肩部の拡大斜視図である。
【図５】第１、第２の連結杆同士の係合部の背面拡大図である。
【図６】伸縮部を手前側に起こした状態の斜視図である。
【図７】伸縮部を手前側に起こし、連結杆を伸ばした際の挿通杆と肩部の拡大斜視図である。
【図８】伸縮部を手前側に起こし、連結杆を伸長した状態の斜視図である。
【図９】図８の状態で、連結杆にバスタオルを掛けた際の斜視図である。
【発明を実施するための形態】
【００１１】
本発明を図示の実施例に基づいて詳細に説明する。
図１は本発明のハンガー１０の正面側から見た斜視図であり、図２は後述する伸縮部を伸長した状態の背面図である。
【００１２】
ハンガー１０は主とした合成樹脂製であり、山形状に屈曲した肩部２０と、この肩部２０の中央頂部に取り付けたフック部３０と、肩部２０の左右両端に取り付けた伸縮自在の伸縮部４０とから構成されている。
【００１３】
肩部２０に対し上下方向を回動軸として回動自在に取り付けられたフック部３０の上端には、物干し竿等に掛けるための孔部３１が設けられ、この孔部３１を取り囲むように開閉自在の拡開部３２が設けられている。
【００１４】
この拡開部３２は軸３３を支点として回動し、常時は図示しないスプリングにより孔部３１を閉止するように付勢され、拡開部３２に設けられたレバー３４の操作により拡開するようにされている。また、拡開部３２の反対側には、斜め下方に向けて掛けフック３５が突出されている。
【００１５】
肩部２０の左右両端には、水平方向を向く軸受孔２１ａ、２１ｂが設けられている。この軸受孔２１ａ、２１ｂには、伸縮部４０の左右の第１、第２の挿通杆４１ａ、４１ｂがそれぞれ挿通されている。
【００１６】
第１、第２の挿通杆４１ａ、４１ｂの外端部には、それぞれＵ字状の湾曲部４２ａ、４２ｂが一体に連結されていて、これらの湾曲部４２ａ、４２ｂの他端部には第１、第２の挿通杆４１ａ、４１ｂと平行する第１、第２の連結杆４３ａ、４３ｂが一体に接続されている。第１の連結杆４３ａは棒体であり、この棒体の外側を摺動可能に断面略Ｃ字状の中空の第２の連結杆４３ｂが係合している。
【００１７】
また、湾曲部４２ａ、４２ｂの下部からタオル等を保持するための弾性を有する「Ｓ」の字状の抑えフック部４４ａ、４４ｂが設けられている。これらの抑えフック部４４ａ、４４ｂは第１、第２の連結杆４３ａ、４３ｂの上面を抑え付けている。
【００１８】
第１、第２の挿通杆４１ａ、４１ｂと湾曲部４２ａ、４２ｂとの境界部４５ａ、４５ｂにおいて、湾曲部４２ａ、４２ｂの径は軸受孔２１ａ、２１ｂの内径よりも段部１を介して大きくされ、第１、第２の挿通杆４１ａ、４１ｂが内側方向に移動する場合のストッパとなっている。
【００１９】
図３の肩部２０の第１の挿通杆４１ａ側端部の断面図に示すように、軸受孔２１ａの内周には、上下、左右の４個所に、キー溝部２２ａが挿通方向に形成されている。そして、図４の肩部２０の第１の挿通杆４１ａ側端部の拡大斜視図に示すように、第１の挿通杆４１ａの境界部４５ａ側である端部の外径部には、高さ、幅の小さな凸状の４条の小凸条部４６ａが軸方向に沿って設けられている。
【００２０】
これらの小凸条部４６ａは、軸受孔２１ａのキー溝部２２ａに嵌り込むように対応しており、第１の挿通杆４１ａは軸受孔２１ａに対する回動に際して、キー溝部２２ａに嵌った小凸条部４６ａを隣のキー溝部２２ａまで引っ掛かった状態を乗り越えて移動させることができる。つまり、第１、第２の挿通杆４１ａはクリック感を得ながら軸受孔２１ａを自在に回動させることが可能とされている。
【００２１】
また、第１の挿通杆４１ａの中央部の外周には軸方向に沿って、小凸条部４６ａと連通し、キー溝部２２ａに対し完全に嵌合する凸状の大きな４条の大凸条部４７ａ、４７ｂが設けられている。
【００２２】
また、軸受孔２１ａの端部外面の頂部には、三角形状の位置合わせ部２３ａが形成されており、境界部４５ａには、小凸条部４６ａを設けた位置に対応するように回動角度が９０度離れた２個の三角形状の位置合わせ部４８ａが設けられている。
【００２３】
これらの図３、図４における第１の挿通杆４１ａ側の肩部２０と伸縮部４０の取り付け個所の構造は、反対側である第２の挿通杆４１ｂ側の肩部２０と伸縮部４０の取り付け個所の構造と左右対称に設けられている。従って、肩部２０の第２の挿通杆４１ｂ側には、位置合わせ部２３ｂ、４８ｂ、軸受孔２１ｂにはキー溝部２２ｂ、第２の挿通杆４１ｂには小凸条部４６ｂ、大凸条部４７ｂが設けられている。
【００２４】
なお、第１、第２の挿通杆４１ａ、４１ｂの小凸条部４６ａ、４６ｂは必ずしも設ける必要はなく、本実施例においては、小凸条部４６ａ、４６ｂ及び大凸条部４７ａ、４７ｂを第１、第２の挿通杆４１ａ、４１ｂ側方断面に対して９０度毎にそれぞれ４個設けているが、小凸条部４６ａ、４６ｂは、側方断面に対して１８０度間隔の２条だけを設け、大凸条部４７ａ、４７ｂは９０度毎の計４条を設けるようにしてもよい。
【００２５】
また、キー溝部２２ａ、２２ｂと、小凸条部４６ａ、４６ｂ及び大凸条部４７ａ、４７ｂとを第１、第２の挿通杆４１ａ、４１ｂ側方断面に対して例えば４５度毎等の適宜の角度間隔を置いて、設けるようにしてもよい。
【００２６】
更には、本実施例においては、キー溝部２２ａ、２２ｂと小凸条部４６ａ、４５ｂ及び大凸条部４７ａ、４７ｂとを、第１、第２の挿通杆４１ａ、４１ｂの側方断面に対して９０度毎にそれぞれ４個設けているが、位置合わせ部４８ａ、４８ｂに対応するように配置した２つのキー溝部２２ａ、２２ｂと、図１の状態で正面を向く位置合わせ部４８ａ、４８ｂに対応する１条のみの大凸条部４７ａ、４７ｂ又は、１条のみの小凸条部４６ａ、４６ｂ及び大凸条部４７ａ、４７ｂとを設けるようにしてもよい。
【００２７】
図１に示すように、第１、第２の挿通杆４１ａ、４１ｂは第１、第２の挿通杆４１ａ、４１ｂを縮小した際に、内端部４９ａ、４９ｂ同士が衝突しない程度の長さとされている。また、内端部４９ａ、４９ｂには孔部５１ａ、５１ｂが刳り抜かれており、内端部４９ａ、４９ｂの周囲には径を大きくした鉤部５２ａ、５２ｂが設けられている。
【００２８】
従って、内端部４９ａ、４９ｂを軸受孔２１ａ、２１ｂの外側から内側に挿通させる場合には、鉤部５２ａ、５２ｂの表面が端部側において傾斜しているため鉤部５２ａ、５２ｂが軸受孔２１ａ、２１ｂ内に入り込み、内周により押さえ付けられて、内端部４９ａ、４９ｂの外径が孔部５１ａ、５１ｂにより縮小するため、潜り抜けが可能とされている。
【００２９】
一方、第１、第２の挿通杆４１ａ、４１ｂを外側に引き抜く場合には、鉤部５２ａ、５２ｂが軸受孔２１ａ、２１ｂの端部に係止して、それ以上の移動は防止され、抜けることはない。
【００３０】
また、第２の連結杆４３ｂには、第１の連結杆４３ａの内部に入り込んだ場合に、第１の連結杆４３ａがＣ字の開口から外れないように、第２の連結杆４３ｂの開口の適当個所には係止片５３が設けられている。
【００３１】
また、第１、第２の連結杆４３ａ、４３ｂ同士は、伸長時にその結合がロックされる構造となっている。即ち、図５の第１、第２の連結杆４３ａ、４３ｂ同士の係合部の背面拡大図に示すように、第２の連結杆４３ｂの先端部は覆部５４によって中空部が枠状に塞がれていて、この覆部５４には中空部側から所定幅の溝部５５が軸方向に形成されている。更に、第１の連結杆４３ａの先端部には、錠止アーム５６が設けられている。
【００３２】
組立に際して、第１の連結杆４３ａの先端部を第２の連結杆４３ｂの覆部５４に挿通すると、錠止アーム５６は覆部５４により押さえられて沈み込みながら覆部５４を潜り抜け、覆部５４を潜り抜けると錠止アーム５６は復元して溝部５５内に係止する。
【００３３】
復元した錠止アーム５６先端が溝部５５内に引っ掛かることによって、第１の連結杆４３ａが第２の連結杆４３ｂから引き抜けることを防止されるので、第１、第２の連結杆４３ａ、４３ｂの先端部同士は、外れることはない。また、第１、第２の連結杆４３ａ、４３ｂの断面が略矩形であるので、第１の連結杆４３ａは第２の連結杆４３ｂに対して、回動することはなく、更には係止片５３により第１の連結杆４３ａが第２の連結杆４３ｂから外れることもない。
【００３４】
使用に際しては伸縮部４０を肩部２０から引き出して、図１、図２に示す状態でそのままハンガー１０として使用できることは勿論である。別の使用形態として、図１に示す第１、第２の挿通杆４１ａ、４１ｂを軸受孔２１ａ、２１ｂに押し込み、更に第１の連結杆４３ａを第２の連結杆４３ｂ内に押し込んだ状態で、肩部２０に対し軸受孔２１ａ、２１ｂを中心に伸縮部４０を手前側へ９０度回動させると図６の状態として、使用することもできる。
【００３５】
この手前側に伸縮部４０を９０度起こす回動は、小凸条部４６ａ、４６ｂの軸受孔２１ａ、２１ｂのキー溝部２２ａ、２２ｂに対するクリック感として得られるのと同時に、肩部２０の位置合わせ部２３ａ、２３ｂに対して、湾曲部４２ａ、４２ｂの位置合わせ部４８ａ、４８ｂが合うようにずらして行う。
【００３６】
このように図６の状態にした後に、湾曲部４２ａ、４２ｂを持って伸縮部４０を両側に引っ張る。これにより、図７の部分拡大斜視図に示すように第１の挿通杆４１ａが軸受孔２１ａ内を摺動してゆく。このようにして、第１、第２の挿通杆４１ａ、４１ｂが軸受孔２１ａ、２１ｂが引き出される。
【００３７】
図８は第１、第２の挿通杆４１ａ、４１ｂを完全に伸長した状態の斜視図であり、この引き出しの過程で軸受孔２１ａ、２１ｂ内は、小凸条部４６ａ、４６ｂから大凸条部４７ａ、４７ｂに移動し、これらの大凸条部４７ａ、４７ｂがキー溝部２２ａ、２２ｂに嵌合する。
【００３８】
そして、第１、第２の挿通杆４１ａ、４１ｂは、軸受孔２１ａ、２１ｂに対し回動不能として引き出され、内端部４９ａ、４９ｂの鉤部５２ａ、５２ｂが軸受孔２１ａ、２１ｂの端部に当接し、かつ錠止アーム５６先端が溝部５５内に引っ掛かり、それ以上の引き出しができなくなる。
【００３９】
また、この引き出しに追従し、第２の連結杆４３ｂ内から第１の連結杆４３ａが引き出されて、第１、第２の連結杆４３ａ、４３ｂは１本の長い棒体となり、第１、第２の挿通杆４１ａ、４１ｂと水平状態となる。
【００４０】
図９は、図８の第１、第２の挿通杆４１ａ、４１ｂを完全に伸長した状態で、第１、第２の連結杆４３ａ、４３ｂにタオルＴを掛け、フック部３０を回転させて掛けフック３５が背面に至るようにした状態の斜視図である。この状態で、掛けフック３５を鴨居等に引っ掛けて濡れたタオルＴを乾かすことになる。
【００４１】
このようにすることにより、乾かす際に背面側のタオルＴが鴨居下の背壁面に接触することはないので、速く乾かすことができ、かつ衛生的である。また、背壁面に対しても、濡れたタオルＴによってカビ等が発生することがない。
【００４２】
更には、トレーナ等の衣類をハンガー１０の肩部２０に通した後に、図６に示すように伸縮部４０を手前側へ起こし、湾曲部４２ａ、４２ｂを左右へ引っ張ることで、トレーナの表側と背側の間に隙間が生ずる。このようにトレーナを通したハンガー１０のフック部３０を物干し竿等に掛けて使用することで、トレーナは風通しがよくなり、短時間で乾かすことができる。
【符号の説明】
【００４３】
１０  ハンガー  
２０  肩部
２１  軸受孔
２２  キー溝部
３０  フック部
３２  拡開部
３４  レバー
４０  伸縮部
４１  挿通杆
４２  湾曲部
４３  連結杆
４６  小凸条部
４７  大凸条部
【図１】
0006496134.tif 000002
【図２】
0006496134.tif 000003
【図３】
0006496134.tif 000004
【図４】
0006496134.tif 000005
【図５】
0006496134.tif 000006
【図６】
0006496134.tif 000007
【図７】
0006496134.tif 000008
【図８】
0006496134.tif 000009
【図９】
0006496134.tif 000010